(57)【要約】【課題】  調味料が容器内に付着した場合、作業者を煩わせることなく、容器内をきれいな状態にして使用可能な振り出し容器を提供する。【解決手段】  振り出し容器１は、上端部に第１開口部１０ａを有して有底筒状の外容器１０と、上端部に第２開口部２０ａを有して有底筒状であり第２開口部２０ａが上方を向いた姿勢で外容器１０内に収容される内容器２０と、第２開口部２０ａ及び第１開口部１０ａを覆って外容器１０の上部に装着されるキャップ４０を有する。内容器２０は上端部に内容器フランジ部２１ａを有する。キャップ４０は、第２開口部２０ａに対向配置されて内容器２０内の調味料を排出させる排出口と、排出口を開閉可能な蓋体４０を有する。外容器１０は内容器１０を収容する内部空間１０ａを有する。内容器１０は、内容器フランジ部２１ａが外容器１０の上端部に載置された状態で内部空間１０ａに装着され且つ内部空間１０ａに着脱可能に装着される。【選択図】  図１
2020083436.tif 000002
【特許請求の範囲】
【請求項１】
上端部に第１開口部を有して有底筒状の外容器と、
上端部に第２開口部を有して有底筒状であり、前記第２開口部が上方を向いた姿勢で前記外容器内に収容される内容器と、
前記外容器に収容された前記内容器の前記第２開口部及び前記第１開口部を覆って前記外容器の上部に装着されるキャップと、を有し、
前記内容器は、上端部に径方向外側へ突出する内容器フランジ部を有し、
前記キャップは、
前記内容器の前記第２開口部に対向配置されて前記内容器に収容される内容物を排出させる排出口と、
前記排出口を開閉可能な蓋体と、を有し、
前記外容器は、前記内容器を収容する内部空間を有し、
前記内容器は、前記内容器フランジ部が前記外容器の上端部に載置された状態で前記外容器の前記内部空間に装着されるとともに、前記内部空間に着脱可能に装着される
ことを特徴とする振り出し容器。
【請求項２】
前記外容器の前記内部空間には、複数の前記内容器が装着される
ことを特徴とする請求項１に記載の振り出し容器。
【請求項３】
前記蓋体は、前記外容器内に周方向に隣接して配置された２つの前記内容器の前記第２開口部に跨る方向に延びる第１蓋体を有する
ことを特徴とする請求項２に記載の振り出し容器。
【請求項４】
前記外容器の上端部には、前記外容器に対して複数の前記内容器を位置決めする位置決めリングが装着され、
前記位置決めリングは、
前記外容器の上端縁部に沿って対向配置される環状のリング本体部と、
前記リング本体部の内側に繋がって径方向に延びる平板部と、
前記平板部に形成されて複数の前記内容器の夫々が挿入される挿入孔部と、を有し、
前記外容器及び前記位置決めリングには、前記外容器に対して前記リング本体部を所定位置に位置決めする位置決め部が設けられる
ことを特徴とする請求項３に記載の振り出し容器。
【請求項５】
前記位置決め部は、
前記リング本体部から径方向外側に突出する環状のリング本体フランジ部と、
前記リング本体部の径方向外側の周壁から径方向外側へ突出する係止凸部と、
前記外容器の前記上端部に設けられて、上側が開口して下側へ窪んで前記係止凸部と係合する係合凹部と、を有し、
前記リング本体フランジ部は、前記外容器の前記上端部上に載置される
ことを特徴とする請求項４に記載の振り出し容器。
【請求項６】
前記内容器は、
上端部が開口して調味料を収容可能な有底筒状の内容器本体部と、
前記内容器本体部の上端から径方向外側に突出する環状の前記内容器フランジ部と、を有し、
前記内容器本体部の径方向の断面形状は、前記挿入孔部の形状よりも小さい相似形状を有し、
前記内容器フランジ部は、前記挿入孔部の形状よりも大きい相似形状を有し、
前記内容器フランジ部の下側の面は、前記平板部を介して前記外容器の上端部に載置される
ことを特徴とする請求項４又は５に記載の振り出し容器。
【発明の詳細な説明】
【技術分野】
【０００１】
本発明は、振り出し容器に関する。
【背景技術】
【０００２】
従来、しおを含む調味料として、化学調味料や香辛料等が用いられている。これらの調味料には、醤油やソース等の液状のものもあるが、粒状、粉抹状のものも多い。これらの調味料は、通常、専用の小容器内に個別に収容されて台所や食卓に備えられる。
【０００３】
特に、しお、コショウ、ごま等は、個人の好みに応じて料理の味を整えるために、別々の容器に収容されて食卓等に備えられることが多い。これらしお、こしょう、ごま等を食卓等に置く場合、それぞれが別容器であると、食卓の載置スペースが狭くなる。
【０００４】
そこで、一つの容器に複数の調味料を収納可能な振り出し容器が提案されている（特許文献１参照）。特許文献１に記載の振り出し容器は、有底筒状の容器本体内に周方向に間隔を有して上下方向に延びる仕切壁が設けられて、複数の収納空間が区画形成される。複数の収納空間内には、異なる種類の内容物が収容される。複数の収納空間の上方には、それぞれの内容物に応じた排出口が形成された中蓋が設けられる。容器本体の上部には、中蓋を覆う外蓋が周方向に回動自在に装着される。外蓋には、排出口に連通する開口と、開口を開閉可能な開閉蓋が設けられる。
【先行技術文献】
【特許文献】
【０００５】
【特許文献１】特開平１１−３３２７１９号公報
【発明の概要】
【発明が解決しようとする課題】
【０００６】
この特許文献１に記載の振り出し容器は、しおやこしょう等の調味料が仕切り壁や容器本体の内面に付着する場合がある。調味料が仕切り壁等に付着すると、収納空間に収容された調味料の実質的な使用可能量が減少する。そこで、仕切り壁等に付着した調味料を取り除く場合には、例えば、外蓋及び中蓋を容器本体から取り外した後に、容器本体内に収容された調味料を一旦取出して、仕切り壁等に付着した調味料を除去し、調味料を容器本体内に再び収容する作業が必要となる。この除去作業は、作業者にとって煩わしい。
【０００７】
本発明は、上記した従来技術における問題点を解消すべく、調味料が仕切り壁等に付着した場合、作業者を煩わせることなく、容器本体内をきれいな状態にして使用可能な振り出し容器を提供することを課題とする。
【課題を解決するための手段】
【０００８】
上記課題を解決するための手段のうち、本発明の主たる手段は、上端部に第１開口部を有して有底筒状の外容器と、上端部に第２開口部を有して有底筒状であり、前記第２開口部が上方を向いた姿勢で前記外容器内に収容される内容器と、前記外容器に収容された前記内容器の前記第２開口部及び前記第１開口部を覆って前記外容器の上部に装着されるキャップと、を有し、前記内容器は、上端部に径方向外側へ突出する内容器フランジ部を有し、前記キャップは、前記内容器の前記第２開口部に対向配置されて前記内容器に収容される内容物を排出させる排出口と、前記排出口を開閉可能な蓋体と、を有し、前記外容器は、前記内容器を収容する内部空間を有し、前記内容器は、前記内容器フランジ部が前記外容器の上端部に載置された状態で前記外容器の前記内部空間に装着されるとともに、前記外容器の前記内部空間に着脱可能に装着されることを特徴とする振り出し容器と云うものである。
【０００９】
内容器は、外容器の内部空間に着脱可能に装着されるので、内容器内に収容された調味料が内容器の内面に付着した場合、この内容器を内部空間から取り出して、調味料が収容された別の内容器と交換することができる。したがって、作業者を煩わせることなく、内容器内をきれいな状態にして使用可能な振り出し容器を提供することができる。また、内容器は、内容器フランジ部が外容器の上端部に載置された状態で内部空間に装着されるので、外容器に対する内容器の設置を容易にすることができる。
【００１０】
また、前記外容器の前記内部空間には、複数の前記内容器が装着されてもよい。
【００１１】
この場合、内部空間に複数の内容器が装着されることで、種類の異なる調味料を複数の内容器の夫々に収容することができる。このため、１つの振り出し容器に、複数種類の調味料を個別に収容可能な振り出し容器を提供することができる。
【００１２】
また、蓋体は、外容器内に周方向に隣接して配置された２つの内容器の第２開口部に跨る方向に延びる第１蓋体を有してもよい。
【００１３】
この場合、第１蓋体は、外容器内に周方向に隣接して配置された２つの内容器の第２開口部に跨る方向に延びるので、第１蓋体を開放させて外容器のキャップ側を下方へ傾けて外容器を上下方向に振ると、２つの内容器の一方に収容された調味料が排出口から排出されるとともに、２つの内容器の他方に収容された調味料が排出口から排出される。このため、２つの内容器に種類の異なる調味料が収容されている場合、２種類の調味料を同時に排出することができる。
【００１４】
また、前記外容器の上端部には、前記外容器に対して複数の前記内容器を位置決めする位置決めリングが装着され、前記位置決めリングは、前記外容器の上端縁部に沿って対向配置される環状のリング本体部と、前記リング本体部の内側に繋がって径方向に延びる平板部と、前記平板部に形成されて複数の前記内容器の夫々が挿入される挿入孔部と、を有し、前記外容器及び前記位置決めリングには、前記外容器に対して前記リング本体部を所定位置に位置決めする位置決め部が設けられてもよい。
【００１５】
この場合、外容器及び位置決めリングには、外容器に対してリング本体部を所定位置に位置決めする位置決め部が設けられるので、位置決めリングを外容器に位置決めすることができる。
【００１６】
また、前記位置決め部は、前記リング本体部から径方向外側に突出する環状のリング本体フランジ部と、前記リング本体部の径方向外側の周壁から径方向外側へ突出する係止凸部と、前記外容器の前記上端部に設けられて、上側が開口して下側へ窪んで前記係止凸部と係合する係合凹部と、を有し、前記リング本体フランジ部は、前記外容器の前記上端部上に載置されてもよい。
【００１７】
この場合、リング本体部に設けられた係止凸部を外容器に設けられた係合凹部に係合させることで、リング本体部を外容器の周方向に対して位置決めすることができる。またリング本体フランジ部を外容器の上端部上に載置することで、リング本体部を外容器の上下方向に対して位置決めすることができる。よって、位置決めリングを外容器の上端部に位置決めすることができる。
【００１８】
また、前記内容器は、上端部が開口して調味料を収容可能な有底筒状の内容器本体部と、前記内容器本体部の上端から径方向外側に突出する環状の内容器フランジ部と、を有し、前記内容器本体部の径方向の断面形状は、前記挿入孔部の形状よりも小さい相似形状を有し、前記内容器フランジ部は、前記挿入孔部の形状よりも大きい相似形状を有し、前記内容器フランジ部の下側の面は、前記平板部上に載置されてもよい。
【００１９】
この場合、内容器本体部の径方向の断面形状は、挿入孔部の形状よりも小さい相似形状を有しているので、内容器本体部を挿入孔部に対して容易に挿抜することができるとともに、位置決めリングに対して内容器の径方向の位置決めをすることができる。また、内容器フランジ部の下側の面が平板部上に載置されることで、位置決めリングに対して内容器の上下方向の位置決めをすることができる。
【発明の効果】
【００２０】
本発明によれば、調味料が仕切り壁等に付着した場合、作業者を煩わせることなく、容器本体内をきれいな状態にして使用可能な振り出し容器を提供することができる。
【図面の簡単な説明】
【００２１】
【図１】第１実施形態に係る振り出し容器の分解斜視図である。
【図２】第１実施形態に係る位置決めリング、内容器及びキャップの斜視図である。
【図３】位置決めリング及び内容器の第１変形例に係る斜視図である。
【図４】位置決めリング及び内容器の第２変形例に係る斜視図である。
【図５】第２実施形態に係る振り出し容器の分解斜視図である。
【発明を実施するための形態】
【００２２】
以下、図面を参照しながら、本発明の実施形態に係る振り出し容器について説明する。本実施形態では、しお、胡椒、ごま等の調味料が収容される振り出し容器について説明する。
【００２３】
また、図面においては、適宜３次元直交座標系としてＸＹＺ座標系を示す。ＸＹＺ座標系において、Ｚ軸方向は、図１に示す振り出し容器の中心軸と平行な方向とする。Ｘ軸方向は、図１に示す振り出し容器の短手方向と平行な方向とする。Ｙ軸方向は、Ｘ軸方向とＺ軸方向との両方と直交する方向とする。
【００２４】
また、図面においては、振り出し容器の中心軸を容器軸Ｊと記述し、容器軸Ｊに平行な方向を単に「軸方向」と記述し、容器軸Ｊを中心とする径方向を単に「径方向」と記述し、容器軸Ｊを中心とする周方向、すなわち、容器軸Ｊの軸周りを単に「周方向」と記述する。また、容器軸方向のうち、Ｚ軸方向のプラス側（＋Ｚ側）を「上側」と記述し、Ｚ軸方向のマイナス側（−Ｚ側）を「下側」と記述する。
【００２５】
[第１実施形態]
＜全体構成＞
図１は、第１実施例に係る振り出し容器の分解斜視図である。本実施形態の振り出し容器１は、図１に示すように、外容器１０と、内容器２０と、位置決めリング３０と、キャップ４０とを有する。外容器１０は、上端部に第１開口部１０ａを有して有底筒状である。内容器２０は、上端部に第２開口部２０ａを有して有底筒状であり、第２開口部２０ａが上方を向いた姿勢で外容器１０内に収容される。位置決めリング３０は、外容器１０の上端部に装着され、外容器１０に対して複数の内容器２０を位置決めする。キャップ４０は、外容器１０に収容された内容器２０の第２開口部２０ａ及び第１開口部１０ａを覆って外容器１０の上部に装着される。以下、構成部材毎に詳細に説明する。
【００２６】
＜外容器１０＞
外容器１０は、例えば合成樹脂（例えば、ポリエチレンテレフタレート(PET)の２軸延伸ブロー成形）、紙、又は合成樹脂と紙との積層体等で形成される。外容器１０が合成樹脂で形成される場合、外容器１０は、押出ブロー成形や射出成形で形成されてもよい。外容器１０は、内容器２０を収容する内部空間１０ｂを有する。外容器１０の内部空間１０ｂに複数の内容器２０が着脱可能に装着される。内部空間１０ｂに複数の内容器２０が装着されることで、種類の異なる調味料の夫々を複数の内容器２０に収容することができる。このため、複数種類の調味料を個別に収容可能な振り出し容器１を提供することができる。なお、外容器１０は、底が無い形状でもよい。
【００２７】
本実施形態では、外容器１０は、有底筒状の収容胴部１２を有する。収容胴部１２の内側に内部空間１０ｂが形成される。収容胴部１２の上側には、上方へ延びる円筒状の装着筒部１２ａが形成される。装着筒部１２ａの外周面には、キャップ４０が螺合する雄ねじ部１２ｂが形成される。装着筒部１２ａの上端内側に、第１開口部１０ａが開口する。本実施形態では、第１開口部１０ａは、軸方向視において円形状である。
【００２８】
装着筒部１２ａは薄肉状に形成され、装着筒部１２ａの上端部は円環状であって平面部１２ｃが形成される。装着筒部１２ａには、上側が開口して下側へ窪んだ係合凹部１２ｄが形成される。本実施形態では、係合凹部１２ｄは、容器軸Ｊに対して径方向に対向する位置に配置される。係合凹部１２ｄは、位置決めリング３０に形成された係止凸部３１ａと係合する。
【００２９】
外容器１０及び位置決めリング３０には、外容器１０に対してリング本体部３１を所定位置に位置決めする位置決め部５０が設けられる。リング本体部３１については、後述する。係合凹部１２ｄ及び係止凸部３１ａは、位置決め部５０の一部を構成する。このため、位置決め部５０によって、位置決めリング３０を外容器１０に位置決めすることができる。
【００３０】
＜位置決めリング３０＞
位置決めリング３０は、図１に示すように、外容器１０の上端縁部に沿って対向配置される環状のリング本体部３１と、リング本体部３１の内側に繋がって径方向に延びる平板部３３と、平板部３３に形成されて複数の内容器２０の夫々が挿入される挿入孔部３５と、を有する。
【００３１】
（リング本体部３１）
リング本体部３１は、図１に示すように、外容器１０の装着筒部１２ａの内面に嵌合される嵌合筒部３１ｂと、嵌合筒部３１ｂの上端から径方向外側へ突出する円環状のリング本体フランジ部３１ｃと、リング本体フランジ部３１ｃの下面及び嵌合筒部３１ｂの外周面から突出する係止凸部３１ａと、を有する。リング本体フランジ部３１ｃは、外容器１０の上端部上に載置される。本実施形態では、リング本体フランジ部３１ｃは外容器１０の装着筒部１２ａの上端部上に載置される。
【００３２】
また、リング本体フランジ部３１ｃの外径は、装着筒部１２ａの外径と略同じ大きさを有する。係止凸部３１ａの外側面はリング本体フランジ部３１ｃの外周面と略同一面上に位置する。このため、位置決めリング３０のリング本体部３１を嵌合筒部３１ｂに嵌合させ、リング本体フランジ部３１ｃの下面を嵌合筒部３１ｂの平面部１２ｃに接触させ、係止凸部３１ａを係合凹部１２ｄに係合させると、リング本体フランジ部３１ｃの外周面及び係止凸部３１ａの外側面は、嵌合筒部３１ｂの外周面と略同一面上に位置する。このため、キャップ４０の装着筒部１２ａへの装着が容易になる。位置決め部５０は、リング本体フランジ部３１ｃと、係止凸部３１ａと、係合凹部１２ｄと、を有する。
【００３３】
また、リング本体部３１に設けられた係止凸部３１ａを外容器１０に設けられた係合凹部１２ｄに係合させることで、リング本体部３１を外容器１０の周方向に対して位置決めすることができる。またリング本体フランジ部３１ｃを外容器１０の上端部上に載置することで、リング本体部３１を外容器１０の上下方向に対して位置決めすることができる。よって、位置決めリング３０を外容器１０の上端部に位置決めすることができる。
【００３４】
（平面部１２ｃ）
平面部１２ｃは、リング本体部３１の内周面に繋がって径方向に延びる。平面部１２ｃには、２つの挿入孔部３５が形成される。本実施形態では、挿入孔部３５は軸方向視において半円状であり、径方向に沿って延びる直線部３５ａと、リング本体部３１の内周面に沿って延びる円周部３５ｂとを有する。
【００３５】
円周部３５ｂは、リング本体部３１の内周面よりも径方向内側に隙間を有した位置に形成される。このため、円周部３５ｂとリング本体部３１の内周面との間には、湾曲して周方向に延びる帯状の湾曲平板部３３ａが形成される。この湾曲平板部３３ａ上に、後述する内容器２０の内容器フランジ部２１ａが載置される。
【００３６】
（挿入孔部３５）
また、２つの挿入孔部３５は、直線部３５ａ同士が対向して径方向に沿って延びる。２つの挿入孔部３５の直線部３５ａの間には、径方向に沿って直線状に延び帯状の直線平板部３３ｂが形成される。直線平板部３３ｂの幅Ｂは、内容器フランジ部２１ａの径方向の突出長の２倍よりも大きい。この直線平板部３３ｂ上に後述する内容器２０の内容器フランジ部２１ａが載置される。
【００３７】
＜内容器２０＞
内容器２０は、図１に示すように、上端部が開口して調味料を収容可能な有底筒状の内容器本体部２１と、内容器本体部２１の上端から径方向外側に突出する環状の内容器フランジ部２１ａと、を有する。内容器本体部２１の径方向の断面形状は、挿入孔部３５の形状よりも小さい相似形状を有する。内容器フランジ部２１ａは、挿入孔部３５の形状よりも大きい相似形状を有し、内容器フランジ部２１ａの下側の面は、外容器１０の平面部１２ｃ上に載置される。
【００３８】
したがって、内容器本体部２１の径方向の断面形状は、挿入孔部３５の形状よりも小さい相似形状を有しているので、内容器本体部２１を挿入孔部３５に対して容易に挿抜することができるとともに、位置決めリング３０に対して内容器２０の径方向の位置決めをすることができる。また、内容器フランジ部２１ａの下側の面が平板部３３上に載置されることで、位置決めリング３０に対して内容器２０の上下方向の位置決めをすることができる。
【００３９】
（内容器本体部２１）
内容器本体部２１を有する内容器２０は、例えば合成樹脂製のシート材を熱成形（サーモフォーミング成形）することで形成されたシート成形体である。本実施形態では、内容器本体部２１は、断面形状が半円形状に形成されて有底筒状である。内容器本体部２１は、力が作用すると変形可能であるが、力が作用しない状態では変形しない。このため、位置決めリング３０の挿入孔部３５に対して内容器本体部２１を容易に挿抜することができる。内容器本体部２１は、内部に収容される調味料を容易に確認できるように透明材料で形成されてもよい。なお、内容器２０は射出成形によって形成されてもよい。
【００４０】
（内容器フランジ部２１ａ）
内容器フランジ部２１ａは、本実施形態では、軸方向視において半円形状である。内容器フランジ部２１ａの突出長さは、湾曲平板部３３ａの幅よりも小さく且つ直線平板部３３ｂの幅Ｂの半分の長さよりも小さい。このため、内容器本体部２１の底部側を挿入孔部３５内に挿入させて内容器フランジ部２１ａの下面を湾曲平板部３３ａ及び直線平板部３３ｂに接触させると、内容器フランジ部２１ａはリング本体部３１の内周面に接触しない。よって、内容器２０を位置決めリング３０に容易に装着することができる。
【００４１】
＜キャップ４０＞
図２は、第１実施形態に係る位置決めリング、内容器及びキャップの斜視図である。キャップ４０は、図１、図２（ａ）、図２（ｂ）に示すように、例えば、合成樹脂材料で形成される。キャップ４０は、内容器２０の第２開口部２０ａに対向配置されて内容器２０に収容される内容物（調味料）を排出させる排出口４１と、排出口４１を開閉可能な蓋体４４と、を有する。本実施形態では、キャップ４０は、外容器１０の装着筒部１２ａに装着されるキャップ本体部４２を有する。
【００４２】
（キャップ本体部４２）
キャップ本体部４２は、有頂筒状に形成され、円形状の形成されたキャップ頂板部４２ａと、キャップ頂板部４２ａの周縁から下方へ延びる筒状のキャップ周壁部４２ｂと、を有する。キャップ周壁部４２ｂの内面には、外容器１０に設けられた雄ねじ部１２ｂに螺合可能な雌ねじ部が形成される。
【００４３】
キャップ頂板部４２ａには、図２（ａ）、図２（ｂ）に示すように、４つの排出口４１が設けられる。排出口４１は、キャップ頂板部３２ｂの周方向に間隔を有して均等に配置される。排出口４１は、軸方向視において四分円状に形成される。排出口４１は、径方向外側へ延びて互いに交差する直線状の一対の直線部４１ａと、一対の直線部４１ａの径方向外側端部に繋がってキャップ頂板部４２ａの周縁部に沿って湾曲する湾曲部４１ｂと、を有してなる。本実施形態では、一対の直線部４１ａは、互いに直交する方向に延びる。
【００４４】
２つの内容器２０の夫々の第２開口部２０ａの長手方向の両側の上方には、排出口４１が挿入孔部３５を介して対向配置される。このため、４つの排出口４１のいずれもが内容器２０の第２開口部２０ａに対して対向配置される。なお、第２開口部２０ａは、多数の孔部を有して構成されてもよい。
【００４５】
（蓋体４４）
蓋体４４は、図１、図２（ａ）、図２（ｂ）に示すように、径方向一方側に配置され外容器１０内に収容された２つの内容器２０の第２開口部２０ａに跨る方向に延びる第１蓋体４５と、第１蓋体４５よりも径方向他方側に配置された２つの第２蓋体４６と、を有する。本実施形態では、キャップ頂板部４２ａには、直径方向に延びて上方へ突出する突出部４２ｃが設けられる。突出部４２ｃの短手方向一方側には、第１蓋体４５が設けられる。突出部４２ｃの短手方向他方側には、第２蓋体４６が設けられる。
【００４６】
第１蓋体４５は、軸方向視において、半円状に形成される。第１蓋体４５の直線状に延びる第１蓋体直線部４５ａは、突出部４２ｃの側面部に薄肉部４５ｂを介して連結される。薄肉部４５ｂはヒンジとして機能して、第１蓋体４５は薄肉部４５ｂを支点として上下方向に回動可能である。
【００４７】
第２蓋体４６は、四分円状に形成される。第２蓋体４６は、他の第２蓋体４６とともに周方向に隣接して配置される。２つの第２蓋体４６は、軸方向視において、半円状に配置される。第２蓋体４６の直線状に延びる蓋体直線部４６ａは、突出部４２ｃの側面部に薄肉部４６ｂを介して連結されている。薄肉部４６ｂはヒンジとして機能して、第２蓋体４６は薄肉部４６ｂを支点として上下方向に回動可能である。
【００４８】
第２蓋体４６は、内容器２０の第２開口部２０ａのうち第１蓋体４５が対向する第２開口部２０ａの長手方向一方側に対して、第２開口部２０ａの長手方向他方側に対向して配置される。
【００４９】
＜振り出し容器１の内容器交換方法＞
次に、振り出し容器１内に収容された内容器２０の交換方法について図１を参照しながら説明する。先ず、キャップ４０を外容器１０から取り外す。キャップ４０が取り外されると、外容器１０内に収容された内容器２０を位置決めリング３０の挿入孔部３５から引き抜く。内容器２０が挿入孔部３５から引き抜かれて開口した挿入孔部３５に新たな内容器２０を挿入する。内容器２０が挿入孔部３５に挿入されると、キャップ４０を外容器１０に装着する。
【００５０】
キャップ４０の取り外しは、キャップ４０を外容器１０に対して回転させて螺合を解くことで行われる。内容器２０を位置決めリング３０の挿入孔部３５から引き抜く際には、内容器２０の内容器フランジ部２１ａを把持して引き抜く。新たな内容器２０を挿入孔部３５に挿入する際には、内容器２０の底部側を挿入孔部３５側へ向けて挿入孔部３５内に挿入する。キャップ４０を外容器１０に装着するには、キャップ４０を外容器１０の装着筒部１２ａに対して回転させて螺合する。
【００５１】
＜本実施形態の作用・効果＞
（振り出し容器の内容器を交換する場合）
内容器２０は、外容器１０の内部空間１０ｂに着脱可能に装着されるので、内容器２０内に収容された調味料が内容器２０の内面に付着した場合、この内容器２０を内部空間１０ｂから取り出して、調味料が収容された別の内容器２０と交換することができる。したがって、作業者を煩わせることなく、内容器２０内をきれいな状態にして使用可能な振り出し容器１にすることができる。
【００５２】
（振り出し容器１から異なる種類の調味料を同時に排出する場合）
第１蓋体４５は、外容器１０内に周方向に隣接して配置された２つの内容器２０の第２開口部２０ａに跨る方向に延びるので、第１蓋体４５を開放させて振り出し容器１のキャップ４０側を下方へ傾けて振り出し容器１を上下方向に振ると、２つの内容器２０の一方に収容された調味料が排出口４１から排出されるとともに、２つの内容器２０の他方に収容された調味料が排出口４１から排出される。このため、２つの内容器２０に種類の異なる調味料が収容されている場合、２種類の調味料を同時に排出することができる。
【００５３】
＜第１実施形態の変形例＞
図３は、位置決めリング及び内容器の第１変形例に係る斜視図である。図４は、位置決めリング及び内容器の第２変形例に係る斜視図である。前述した実施形態では、内容器２０は外容器１０内に２つ収容可能なものを示したが、図３（ａ）に示すように、内容器２３は、外容器１０内に３つ収容可能なものでもよい（第１変形例）。
【００５４】
内容器２３は、断面形状が略三角形状に形成される。また、内容器２３の第２開口部２０ａの直線部２３ａ間の角度θは、約１２０度である。また、内容器２３を位置決めする位置決めリング３７は、図３（ｂ）に示すように、３つの挿入孔部５１を有する。挿入孔部５１の軸方向視における形状は、内容器２３の断面形状と相似する略三角形状である。
【００５５】
この変形例では、外容器１０内に収容される内容器２３を３つにすることで、異なる種類の調味料を収容可能な数を増大することができる。
【００５６】
また、例えば、図４（ａ）に示すように、内容器２５は、外容器１０内に４つ収容可能なものでもよい（第２変形例）。
【００５７】
内容器２５は、断面形状が略三角形状に形成される。また、内容器２５の第２開口部２０ａの直線部２５ａ間の角度θは、約９０度である。また、内容器２５を位置決めする位置決めリング３８は、図４（ｂ）に示すように、４つの挿入孔部５２を有する。挿入孔部５２の軸方向視における形状は、内容器２５の断面形状と相似する略三角形状である。なお、図４（ｂ）及び図４（ｃ）に示すように、外容器１０の形状は、前述した実施形態と同様である。
【００５８】
この変形例では、外容器１０内に収容される内容器２３を４つにすることで、異なる種類の調味料を収容可能な数をより増大することができる。
【００５９】
[第２実施形態]
次に、本発明の第２実施形態に係る振り出し容器について説明する。第１実施形態では、外容器１０内に複数個の内容器２０が収容される場合を示した。本実施形態では、外容器１０内に１つの内容器２７が収容される。以下、第１実施形態との差異を中心に説明する。なお、本実施形態では、第１実施形態と同一態様部分については、同一符号を付してその説明を省略する。
【００６０】
図５は、第２実施形態に係る振り出し容器の分解斜視図である。内容器２７は、図５に示すように、有底筒状である。内容器２７の外形は、外容器１０の装着筒部１２ａの内径よりもわずかに小さい。内容器２７の上端部には、径方向に突出する環状の内容器フランジ部２７ａが形成される。内容器フランジ部２７ａは、外容器１０の装着筒部１２ａの上端部に載置される。第２実施形態に係る振り出し容器１には位置決めリングは存在しない。キャップ５５のキャップ頂板部４２ａには、キャップ頂板部４２ａの周方向に沿って延びる長孔状の排出口５６が１つ設けられる。また、キャップ５５には、排出口５６を開閉可能な１つの蓋体５７が設けられる。
【００６１】
＜本実施形態の作用・効果＞
内容器２７は、外容器１０の内部空間１０ｂに着脱可能に装着されるので、内容器２７内に収容された調味料が内容器２７の内面に付着した場合、この内容器２７を内部空間１０ｂから取り出して、調味料が収容された別の内容器２７と交換することができる。したがって、作業者を煩わせることなく、内容器２７内をきれいな状態にして使用可能な振り出し容器１にすることができる。
【００６２】
以上、実施例に沿って本発明の構成とその作用効果について説明したが、本発明の実施の形態は上記実施例に限定されるものではない。
【産業上の利用可能性】
【００６３】
本発明の振り出し容器は、内容器を容易に交換可能なものであり、調味料や振りかけ等の容器の分野で幅広い展開が期待される。
【符号の説明】
【００６４】
１  振り出し容器
１０  外容器
１０ａ  第１開口部
１０ｂ  内部空間
１２  収容胴部
１２ａ  装着筒部
１２ｂ  雄ねじ部
１２ｃ  平面部
１２ｄ  係合凹部
２０、２３、２５，２７  内容器
２０ａ  第２開口部
２１  内容器本体部
２１ａ、２７ａ  内容器フランジ部
２３ａ，２５ａ，３５ａ，４１ａ  直線部
３０、３７、３８  位置決めリング
３１  リング本体部
３１ａ  係止凸部
３１ｂ  嵌合筒部
３１ｃ  リング本体フランジ部
３３  平板部
３３ａ  湾曲平板部
３３ｂ  直線平板部
３５  挿入孔部
３５ｂ  円周部
４０、５５  キャップ
４１、５６  排出口
４１ｂ  湾曲部
４２  キャップ本体部
４２ａ  キャップ頂板部
４２ｂ  キャップ周壁部
４２ｃ  突出部
４４、５７  蓋体
４５  第１蓋体
４５ａ  第１蓋体直線部
４５ｂ、４６ｂ  薄肉部
４６  第２蓋部
４６ａ  第２蓋体直線部
５０  位置決め部
５１，５２  挿入孔部
Ｊ  容器軸
【図１】
2020083436.tif 000003
【図２】
2020083436.tif 000004
【図３】
2020083436.tif 000005
【図４】
2020083436.tif 000006
【図５】
2020083436.tif 000007